(57)【要約】【課題】  プラントなどにおける設備・機器の点検に必要となる点検情報をサイズの大きい画面に表示し、点検に必要な図面などのデータを適切な大きさで表示することで、点検業務を効率的にかつ確実に遂行できるようにする。【解決手段】  点検の対象となる点検対象機器１０の周辺に設置あるいはこの点検対象機器１０に取り付けられた作業内容を表示させる固定式で大きいサイズの表示画面を有する情報表示部２１と、この情報表示部２１に接続し表示内容を変更する表示情報更新部２２とを設け、表示内容を作業員が所有する携帯端末３０から表示情報更新部２２に転送し、更新させる。【選択図】        図１
2008257331.tif 000002
【特許請求の範囲】
【請求項１】
点検対象機器の周辺に設置あるいは該点検対象機器に取り付けられた情報表示部と、該情報表示部と接続され該情報表示部の表示を変更する表示情報更新部と、該表示情報更新部と接続可能で前記情報表示部で表示される情報を保存している携帯端末とを備えた点検業務支援装置。
【請求項２】
情報表示部に点検作業内容と他の点検対象機器への点検ルートとを表示することを特徴とする請求項１に記載の点検業務支援装置。
【請求項３】
情報表示部に緊急避難ルートを表示することを特徴とする請求項２に記載の点検業務支援装置。
【請求項４】
情報表示部および表示情報更新部と接続し、前記情報表示部で表示される情報を記憶している表示情報記憶部を有することを特徴とする請求項３に記載の点検業務支援装置。
【請求項５】
情報表示部が電子ペーパーであることを特徴とする請求項１ないし４のいずれかに記載の点検業務支援装置。
【請求項６】
情報表示部、表示情報更新部および表示情報記憶部への電源を、携帯端末から供給することを特徴とする請求項５に記載の点検業務支援装置。
【請求項７】
表示情報更新部と携帯端末との接続を、無線により行うことを特徴とする請求項１ないし５のいずれかに記載の点検業務支援装置。
【発明の詳細な説明】
【技術分野】
【０００１】
この発明は、プラントなどを構成する設備・機器の点検に必要となる情報を表示する点検業務支援装置に関する。
【背景技術】
【０００２】
上水道プラント、下水道プラントなどのプラントでは、プラントを構成する設備や機器の保全点検業務の外部委託が行われており、従来の職員が保全点検業務を実施していた時期と比較して作業者の交代頻度が多く、プラントや設備に詳しくない作業者が保全点検業務を行うケースが増えてきている。そのため、このような作業者でも保全点検業務を確実に実施できるように、業務を支援する装置が導入されてきている。
【０００３】
従来の点検業務支援装置においては、作業の対象となる点検対象機器の機器情報を表示する機器識別情報表示手段を作業者が携帯し、この機器識別情報表示手段に表示された情報を参照しながら機器の点検・調整を行うこととしている。（例えば、特許文献１参照）。
【０００４】
【特許文献１】特開２００５−１３１１４１（請求項４、請求項５、段落「００３９」〜「００４４」に記載の「他の実施の形態」、図９、図１０）
【発明の開示】
【発明が解決しようとする課題】
【０００５】
従来の点検業務支援装置では、作業者が携帯する携帯端末の表示手段に点検対象機器の機器情報や点検手順などの作業内容を表示するため、表示画面のサイズが携帯に適した大きさに限られ、図面などの大きなサイズの情報の表示には適していないという問題点があった。
【０００６】
この発明は、上述のような問題点を解決するためになされたもので、作業内容の表示画面のサイズを大きくすることにより、点検に必要な図面などのデータを適切に表示し、点検業務を効率的にかつ確実に遂行できるようにするものである。
【課題を解決するための手段】
【０００７】
この発明に係る点検業務支援装置においては、点検対象機器の周辺に設置あるいはこの点検対象機器に取り付けられた固定式で大きいサイズの表示画面を有する情報表示部に、点検作業時に必要な作業内容を表示させるようにするものである。
【発明の効果】
【０００８】
この発明は、点検対象機器の作業内容を、点検対象機器の周辺に設置あるいはこの点検対象機器に取り付けられた固定式で大きいサイズの表示画面を有する情報表示部に表示するため、点検に必要な図面などのデータを適切な大きさで表示することができ、点検業務を効率的にかつ確実に遂行させることができる。
【発明を実施するための最良の形態】
【０００９】
実施の形態１．
図１はこの発明を実施するための実施の形態１における点検業務支援装置のシステムブロック図を、図２はこの発明を実施するための実施の形態１における携帯端末３０の機能ブロック図を、図３はこの発明を実施するための実施の形態１における点検サーバ４０での作業フロー図を、図４はこの発明を実施するための実施の形態１における点検情報表示装置２０での作業フロー図を示すものである。
【００１０】
図１において、１０はプラントなどの現場に設置され点検の対象となる点検対象機器を示しており、ポンプ、弁などの機械設備や、モータ、遮断機、変圧器などの電気設備、コントローラなどの制御設備など、日常、定期的あるいは設備不調時に点検を必要とする設備である。２０は点検対象機器１０の周辺に設置あるいは点検対象機器１０に装着される点検情報表示装置を示す。この点検情報表示装置２０は表示画面からなる情報表示部２１と、外部コネクタ２４を有する表示情報更新部２２と、前記情報表示部２１および表示情報更新部２２へ給電する電源２５からなり、情報表示部２１と表示情報更新部２２は装置バス２３で接続されている。前記電源２５は、商用電源あるいはバッテリのいずれも適用が可能であり、商用電源の場合は入力される交流電源を所定の電圧の直流電流へ変換する装置に該当し、バッテリの場合はバッテリとこのバッテリから出力される直流電流を所定の電圧の直流電流へ変換する装置に該当する。
【００１１】
３０は作業者の移動時には携帯し、現場の点検対象機器１０の周辺では点検情報表示装置２０の傍に置き表示情報更新部２２の外部コネクタ２４に接続ケーブル３１で接続する携帯端末である。４０は点検に必要となる点検項目、点検方法、設備情報、点検ルート情報などの点検情報をデータベース４１に格納し、携帯端末３０を接続ケーブル３１を介して接続したときには、この携帯端末３０に点検情報を転送する点検サーバである。
【００１２】
前記情報表示部２１は、点検対象機器１０の点検に必要な点検項目、点検方法、設備情報などを作業者の点検時に表示するが、点検の作業手順や要領を作業者にわかりやすく表示するため図面を用いて表示する場合があり、図面を読み取るために十分なサイズを確保する必要がある。例えば、元々Ａ４用紙のサイズに記載された図面を表示するためには、画面サイズが１５インチ以上であれば原寸大で表示でき、作業者が読み取りやすくなる。また、現場では必ずしも設置場所を十分に確保できるとは限らないため、液晶ディスプレイや電子ペーパーなどの薄型の表示装置が望ましい。電子ペーパーであれば、表示内容の変更時のみ給電し、表示内容の保持には電源供給が必要なく、さらにある程度フレキシブルに曲げることが可能なため、点検対象機器１０への装着が可能となり、省電力性と設置性を向上させることができて適用範囲が広くなる利点がある。
【００１３】
図２において、携帯端末３０は、接続ケーブル３１を介して点検情報表示装置２０あるいは点検サーバ４０と通信を行う通信手段３２と、通信などの処理を行う制御手段３３と、点検情報を記憶する記憶手段３４と、作業者が移動中などで情報を画面に表示させる表示手段３５と、作業者が携帯端末３０への指示を与える入力手段３６とを備える。
【００１４】
次に動作について説明する。
図３において、点検業務の開始時には作業者は点検サーバ４０に携帯端末３０を接続ケーブル３１を介して接続する（１０１）。点検サーバ４０において巡回して点検する複数の設備と、その点検ルートを作成する（１０２）。この複数の設備や点検ルートは、作業者が過去の点検記録などから定めるものであっても、点検サーバが自動で判断して決定するものであってもかまわない。この点検対象となった設備の点検に必要な点検項目、点検方法、および設備情報と、各点検対象機器間の点検ルート情報とからなる点検情報を点検サーバ４０から携帯端末３０に転送する（１０３）。転送された点検情報は、携帯端末３０の記憶手段３４に保存される。点検情報の転送が終了したことが確認画面や音声などで作業者に知らされると、作業者は携帯端末３０を点検サーバ４０から切断する（１０４）。作業者は第１の点検対象機器１０の設置場所へ行くことになるが、そこまでの点検ルートが点検サーバ４０の画面に表示される（１０５）。
【００１５】
作業者は点検ルートに従って第１の点検対象機器１０へ移動する。点検対象機器１０の点検は、作業者は図４のフローに従って実施する。まず、作業者が携帯端末３０を、点検情報表示装置２０の表示情報更新部２２にある外部コネクタ２４に接続ケーブル３１を介して接続する（１１１）。その後、携帯端末３０から表示情報更新部２２へ、点検情報として点検に必要な最初の点検情報を転送する（１１２）。点検情報は表示情報更新部２２から装置バス２３を経由して情報表示部２１に転送され、表示される（１１３）。作業者は表示された点検情報に従って点検対象機器の点検を実施し、点検結果を携帯端末に記録する（１１４）。
【００１６】
点検を続ける場合は、再び１１２のステップに戻り点検情報の転送、点検情報の表示、点検結果の記録を行う。点検が終了すると、携帯端末３０から点検ルート情報を表示情報更新部２２へ送信し（１１５）、情報表示部２１に点検ルート情報を表示する（１１６）。作業者は表示内容を確認し、携帯端末３０を外部コネクタ２４から切断し（１１７）、点検ルート情報に従って第２の点検対象機器１０へ移動する。作業者はこの点検対象機器での点検作業を、上述の方法で事前に設定されている機器の分だけ終了させ、点検サーバ４０に帰還する。
【００１７】
このように、点検に必要となる点検情報を、点検対象機器の周辺に設けた固定式で大きいサイズの表示画面を有する情報表示部に表示するため、点検に必要な図面などを適切な大きさで表示することができる。さらに、情報表示部に薄型である程度のフレキシブルに曲げられる電子ペーパーを用いることにより、省電力性と設置性を向上させることができる。さらに、情報表示部に点検ルートを表示させることで、点検対象機器の所在を示した平面図を持ち歩いたり、事前に移動経路について調べておいたりする必要性が解消され、点検業務を効率的かつ確実に遂行できる。
【００１８】
実施の形態２．
なお、実施の形態１では点検情報表示装置２０の情報表示部２１に表示する点検情報を携帯端末３０から表示情報更新部２２を経由して表示させる構成としていたが、点検情報の一部或いは全部を点検情報表示装置２０内部に保管してから表示してもよい。
【００１９】
図５はこの発明を実施するための実施の形態２における点検業務支援装置のシステムブロック図を、図６はこの発明を実施するための実施の形態２における点検情報表示装置２０での作業フロー図を示すものである。
【００２０】
構成について、実施の形態１と異なる点について図５に基づいて説明する。点検情報表示装置２０の装置バス２３に点検情報の保存を行う表示情報記憶部２６を接続するよう構成している。
【００２１】
次に動作について、図６に基づいて説明する。作業員による点検サーバ４０での作業、点検対象設備１０までの移動、および点検業務を実施し点検終了までは、実施の形態１と同じである（１１１、１１２、１１３、１１４）。点検結果を携帯端末に記録し点検が終了（１１４）すると、携帯端末３０から点検ルート情報と緊急避難ルート情報を表示情報更新部２２に転送する（１１８）。緊急避難ルート情報を装置バス２３を経由して表示情報記憶部２６に保存する（１１９）。続いて、実施の形態１と同様に情報表示部２１に点検ルート情報を表示し（１１６）、作業員は携帯端末を点検情報表示装置２０から切断する（１１７）。作業員が点検対象設備１０の周辺から立ち去った頃に、緊急避難ルート情報を表示情報記憶部２６から読み出し、情報表示部２１に緊急避難ルート情報を表示する（１２０）。
【００２２】
このように、点検情報表示装置に表示情報記憶部を設け、緊急避難ルート情報を表示情報記憶部に保存し、作業員が点検対象設備を点検していないときには、緊急避難ルート情報を情報表示部に表示することにより、緊急時の避難ルートの表示を最新に保つことが容易に可能となり、点検情報表示装置を点検時以外も有効活用できる。
【００２３】
実施の形態３．
なお、実施の形態１では点検情報表示装置２０へ給電するため電源２５を必要としていたが、図７、図８に示すように携帯端末３０の電源から供給するようにして、点検情報表示装置２０の電源を省略することができる。
【００２４】
図７はこの発明を実施するための実施の形態３における点検業務支援装置のシステムブロック図を、図８はこの発明を実施するための実施の形態３における携帯端末３０の機能ブロック図を示す。作業フローについては実施の形態１と同じである。
【００２５】
図７、図８において、実施の形態１と異なる点について説明する。点検情報表示装置２０は電源を所持しておらず、情報表示部２１と、この情報表示部２１と装置バス２３で接続される外部コネクタ２４を有する表示情報更新部２２からなる。情報表示部２１は画面内容の変更のときのみ給電を必要とし、内容の表示には給電不要である電子ペーパーとする。また携帯端末３０は電源３７を有しており、接続ケーブル３１を表示情報更新部２２の外部コネクタ２４に接続した場合は点検情報表示装置２０への電源供給ができるように、接続ケーブル３１をデータラインと電源供給ラインを有しているケーブルとする。
【００２６】
このようにすることで、携帯端末３０を点検情報表示装置２０に接続しているときには、携帯端末３０の動作により情報表示部２１の画面を書き換えることが可能であり、携帯端末３０を点検情報表示装置２０から切断しても、情報表示部２１の画面は表示されたままになる。
【００２７】
このように、実施の形態３においては、点検情報表示装置から電源設備を省略することができるため、電源に関するコストを削減することができると共に、商用電源を使用している場合と比べ点検情報表示装置設置時における電源ケーブル配線作業が不要となり、バッテリ電源を使用している場合と比べバッテリ交換の作業が不要となる効果がある。
【００２８】
実施の形態４．
実施の形態１から３では、携帯端末３０と点検サーバ４０、あるいは携帯端末３０と点検情報表示装置の点検情報の転送に接続ケーブル３１を使用していたが、点検情報の転送に無線を適用する場合について説明する。
【００２９】
図９はこの発明を実施するための実施の形態４における点検業務支援装置のシステムブロック図を、図１０はこの発明を実施するための実施の形態４における携帯端末３０の機能ブロック図を示す。
【００３０】
図９、図１０において、点検情報表示装置２０は装置バス２３に接続する無線通信部２７を有し、点検サーバ４０には無線通信装置４２を接続させる。また、携帯端末３０は無線通信手段３８を有している。無線通信の規格については、ＩＥＥＥ８０２．１１ａ／ｂ／ｇなどの無線ＬＡＮ（Ｌｏｃａｌ  Ａｒｅａ  Ｎｅｔｗｏｒｋ）や、Ｂｌｕｅｔｏｏｔｈ、ＺｉｇＢｅｅなどの無線ＰＡＮ（Ｐｅｒｓｏｎａｌ  Ａｒｅａ  Ｎｅｔｗｏｒｋ）、微弱無線、特定小電力無線、携帯電話などの商用無線など、いずれの規格でも適用できる。
【００３１】
点検サーバ４０から携帯端末３０へ点検情報を転送するときには、データベース４１から取り出した点検情報を無線通信装置４２と携帯端末３０の無線通信手段３８との間における無線通信にて転送する。さらに、携帯端末３０から点検情報表示装置２０へ点検情報を転送するときには、携帯端末３０の無線通信手段３８と点検情報表示装置２０の無線通信部２７との間における無線通信にて転送する。
【００３２】
このように、点検情報の転送に無線通信を適用することにより、作業員が携帯端末を点検情報表示装置に接続する作業を省略することができ、点検作業を効率化することができる。
【００３３】
なお、この無線通信の手段を、点検サーバ４０と点検情報表示装置２０の間に適用することも可能であり、緊急時の避難ルートが変更になる場合などで、複数の点検情報表示装置２０の情報表示部２１の表示内容を一斉に最新の画面に変更することができる。
【図面の簡単な説明】
【００３４】
【図１】この発明の実施の形態１を示す点検業務支援装置のシステムブロック図である。
【図２】この発明の実施の形態１を示す携帯端末の機能ブロック図である。
【図３】この発明の実施の形態１を示す点検サーバでの作業フロー図である。
【図４】この発明の実施の形態１を示す点検情報表示装置での作業フロー図である。
【図５】この発明の実施の形態２を示す点検業務支援装置のシステムブロック図である。
【図６】この発明の実施の形態２を示す点検情報表示装置での作業フロー図である。
【図７】この発明の実施の形態３を示す点検業務支援装置のシステムブロック図である。
【図８】この発明の実施の形態３を示す携帯端末の機能ブロック図である。
【図９】この発明の実施の形態４を示す点検業務支援装置のシステムブロック図である。
【図１０】この発明の実施の形態４を示す携帯端末の機能ブロック図である。
【符号の説明】
【００３５】
１０  点検対象機器
２１  情報表示部
２２  表示情報更新部
２６  表示情報記憶部
３０  携帯端末
【図１】
2008257331.tif 000003
【図２】
2008257331.tif 000004
【図３】
2008257331.tif 000005
【図４】
2008257331.tif 000006
【図５】
2008257331.tif 000007
【図６】
2008257331.tif 000008
【図７】
2008257331.tif 000009
【図８】
2008257331.tif 000010
【図９】
2008257331.tif 000011
【図１０】
2008257331.tif 000012